(57)【要約】【課題】この発明は、情報記録媒体に記録された暗号化コンテンツの再生が要求されてから、コンテンツが再生されるまでの時間を極力短縮し、しかも、コンテンツの再生に対する権利情報も遵守し得るようにした実用に好適する情報再生装置及び情報再生方法を提供することを目的としている。【解決手段】暗号化コンテンツとそれを復号するコンテンツ鍵と復号したコンテンツの再生条件を示す権利情報とを取得する手段（１４）と、取得した権利情報に基づいてコンテンツ再生の可否を判別し、再生可能であれば権利情報の更新処理を行なう処理と、取得したコンテンツ鍵により暗号化コンテンツを復号し、復号したコンテンツにデコード処理を行なう処理とを並行して行なう手段（１５〜１８）と、デコード処理したコンテンツを権利情報の更新処理が完了した状態で再生に供させる手段（１９）とを備える。【選択図】    図１
2010239436.tif 000002
【特許請求の範囲】
【請求項１】
暗号化コンテンツとそれを復号するコンテンツ鍵と復号したコンテンツの再生条件を示す権利情報とを取得する取得手段と、
前記取得手段で取得した権利情報に基づいてコンテンツ再生の可否を判別し、再生可能であれば前記権利情報の更新処理を行なう第１の処理手段と、
前記第１の処理手段と並行して、前記取得手段で取得したコンテンツ鍵により暗号化コンテンツを復号し、復号したコンテンツにデコード処理を行なう第２の処理手段と、
前記第２の処理手段でデコード処理したコンテンツを前記第１の処理手段による権利情報の更新処理が完了した状態で再生に供させる制御手段とを具備することを特徴とする情報再生装置。
【請求項２】
前記制御手段は、前記第１の処理手段による権利情報の更新処理が完了した状態で、前記第２の処理手段でデコード処理したコンテンツに対して、映像表示及び音声再生の少なくともいずれかに供させるためのデータ処理を施すことを特徴とする請求項１記載の情報再生装置。
【請求項３】
前記第２の処理手段は、デコード処理したコンテンツを蓄積する記録媒体を備え、
前記制御手段は、前記第１の処理手段による権利情報の更新処理が完了した状態で、前記記録媒体に記録されたコンテンツを出力させることを特徴とする請求項１記載の情報再生装置。
【請求項４】
前記取得手段は、前記暗号化コンテンツ，前記コンテンツ鍵及び前記権利情報を、情報記録媒体から取得することを特徴とする請求項１記載の情報再生装置。
【請求項５】
前記取得手段は、前記情報記録媒体から取得した権利情報がコンテンツ再生の不可を示している場合、新たな権利情報をネットワーク経由で取得することを特徴とする請求項４記載の情報再生装置。
【請求項６】
前記取得手段は、前記暗号化コンテンツ及び前記コンテンツ鍵を情報記録媒体から取得し、前記権利情報をネットワーク経由で取得することを特徴とする請求項１記載の情報再生装置。
【請求項７】
前記情報記録媒体はＳＤカードであることを特徴とする請求項４乃至６いずれかに記載の情報再生装置。
【請求項８】
暗号化コンテンツとそれを復号するコンテンツ鍵と復号したコンテンツの再生条件を示す権利情報とを取得する第１の工程と、
前記第１の工程で取得した権利情報に基づいてコンテンツ再生の可否を判別し、再生可能であれば前記権利情報の更新処理を行なう第２の工程と、
前記第２の工程と並行して、前記第１の工程で取得したコンテンツ鍵により暗号化コンテンツを復号し、復号したコンテンツにデコード処理を行なう第３の工程と、
前記第３の工程でデコード処理したコンテンツを前記第２の工程による権利情報の更新処理が完了した状態で再生に供させる第４の工程とを有することを特徴とする情報再生方法。
【請求項９】
前記第１の工程は、前記暗号化コンテンツ，前記コンテンツ鍵及び前記権利情報を情報記録媒体から取得し、前記情報記録媒体から取得した権利情報がコンテンツ再生の不可を示している場合、新たな権利情報をネットワーク経由で取得することを特徴とする請求項８記載の情報再生方法。
【発明の詳細な説明】
【技術分野】
【０００１】
この発明は、情報記録媒体に記録された暗号化コンテンツを再生する情報再生装置及び情報再生方法に関する。
【背景技術】
【０００２】
周知のように、近年では、記録されたコンテンツに対する保護機能が高いことから、映像や音声等のコンテンツをＳＤ（secure digital）カードに記録してユーザに配信するサービスが普及している。このコンテンツ配信サービスは、ユーザが店頭に出向き、コンテンツサーバに格納された多数のコンテンツの中から所望のコンテンツを選択する。
【０００３】
すると、その選択したコンテンツをコンテンツ鍵で暗号化した暗号化コンテンツと、そのコンテンツ鍵及び選択したコンテンツの再生に関してユーザが有する各種条件を示す権利情報（ユーザが対価を支払って取得する）を、ＳＤカードに保持された固有鍵に基づいてそれぞれ暗号化した暗号化コンテンツ鍵及び暗号化権利情報とが、ＳＤカードに記録されてユーザに渡される。
【０００４】
そして、ユーザがＳＤカードを自宅の再生機器に装着すると、再生機器では、ＳＤカードに保持された固有鍵に基づいて暗号化コンテンツ鍵及び暗号化権利情報を復号し、権利情報を解析してコンテンツの再生が許可されていれば、コンテンツ鍵により暗号化コンテンツを復号してコンテンツの再生を実行する。
【０００５】
ところで、上記のようにＳＤカードを利用したコンテンツ配信サービスは、まだまだ開発途上にある段階であり、細部に亘って実用に適するように改良すべき余地が多々残されている。例えば、再生機器では、権利情報を解析してから暗号化コンテンツを復号して再生するため、コンテンツがユーザの視聴に供されるまでに長い時間を要している。
【０００６】
特許文献１には、再生開始要求を受け取ったコンテンツ再生プログラムが、ユーザ認証及び視聴の許諾条件の確認要求に対する認証アプリケーションからの応答メッセージの到着を待たずに、自ノードにキャッシュされた復号鍵で暗号化されたコンテンツの復号を行なうようにした技術が開示されている。
【先行技術文献】
【特許文献】
【０００７】
【特許文献１】特開２００６−１２９０６３号公報
【発明の概要】
【発明が解決しようとする課題】
【０００８】
そこで、この発明は上記事情を考慮してなされたもので、情報記録媒体に記録された暗号化コンテンツの再生が要求されてから、コンテンツが再生されるまでの時間を極力短縮し、しかも、コンテンツの再生に対する権利情報も遵守し得るようにした実用に好適する情報再生装置及び情報再生方法を提供することを目的とする。
【課題を解決するための手段】
【０００９】
この発明に係る情報再生装置は、暗号化コンテンツとそれを復号するコンテンツ鍵と復号したコンテンツの再生条件を示す権利情報とを取得する取得手段と、取得手段で取得した権利情報に基づいてコンテンツ再生の可否を判別し、再生可能であれば権利情報の更新処理を行なう第１の処理手段と、第１の処理手段と並行して、取得手段で取得したコンテンツ鍵により暗号化コンテンツを復号し、復号したコンテンツにデコード処理を行なう第２の処理手段と、第２の処理手段でデコード処理したコンテンツを第１の処理手段による権利情報の更新処理が完了した状態で再生に供させる制御手段とを備えるものである。
【００１０】
また、この発明に係る情報再生方法は、暗号化コンテンツとそれを復号するコンテンツ鍵と復号したコンテンツの再生条件を示す権利情報とを取得する第１の工程と、第１の工程で取得した権利情報に基づいてコンテンツ再生の可否を判別し、再生可能であれば権利情報の更新処理を行なう第２の工程と、第２の工程と並行して、第１の工程で取得したコンテンツ鍵により暗号化コンテンツを復号し、復号したコンテンツにデコード処理を行なう第３の工程と、第３の工程でデコード処理したコンテンツを第２の工程による権利情報の更新処理が完了した状態で再生に供させる第４の工程とを有するものである。
【発明の効果】
【００１１】
上記した発明によれば、権利情報の確認処理や更新処理と、暗号化コンテンツの復号処理や復号後のコンテンツのデコード処理とを並行して実行し、権利情報によってコンテンツの再生可能が確認され権利情報の更新処理が完了したとき、デコード処理後のデータを再生に供させるようにしたので、暗号化コンテンツの再生が要求されてから再生されるまでの時間を極力短縮し、しかも、コンテンツの再生に対する権利情報も遵守することが可能となる。
【図面の簡単な説明】
【００１２】
【図１】この発明の実施の形態を示すもので、コンテンツ再生装置の信号処理系を説明するために示すブロック構成図。
【図２】同実施の形態におけるコンテンツ再生装置がＳＤカードから暗号化コンテンツ、コンテンツ鍵及び権利情報を取得する動作の一例を説明するために示す図。
【図３】同実施の形態におけるコンテンツ再生装置が行なう主要な処理動作の一例を説明するために示すフローチャート。
【図４】同実施の形態におけるコンテンツ再生装置が行なう主要な処理動作の他の例を説明するために示すフローチャート。
【発明を実施するための最良の形態】
【００１３】
以下、この発明の実施の形態について図面を参照して詳細に説明する。図１は、この実施の形態で説明する。コンテンツ再生装置１１の信号処理系を示している。すなわち、このコンテンツ再生装置１１は、情報記録媒体としてのＳＤカード１２を着脱可能とするカード装着部１３を備えている。
【００１４】
この場合、ＳＤカード１２には、映像や音声等のコンテンツをコンテンツ鍵で暗号化した暗号化コンテンツと、そのコンテンツ鍵をＳＤカード１２に保持された固有鍵に基づいて暗号化した暗号化コンテンツ鍵と、コンテンツの再生に関してユーザが有する各種条件を示す権利情報を、コンテンツ鍵と同様に上記固有鍵に基づいて暗号化した暗号化権利情報とが記録されている。
【００１５】
そして、カード装着部１３に装着されたＳＤカード１２に対して、ユーザの操作によりコンテンツの再生が要求されると、情報取得部１４が、ＳＤカード１２から暗号化コンテンツと暗号化コンテンツ鍵と暗号化権利情報とをそれぞれ読み取る。
【００１６】
また、この情報取得部１４は、読み取った暗号化コンテンツ鍵と暗号化権利情報とを上記固有鍵に基づいて復号し、コンテンツ鍵と権利情報とを取得する。この場合、権利情報としては、例えばＵＲＣ（usage rules contents）等が使用される。
【００１７】
その後、この情報取得部１４は、暗号化コンテンツとコンテンツ鍵とを復号処理部１５に出力し、権利情報を確認処理部１６に出力する。このうち、復号処理部１５は、入力された暗号化コンテンツを入力されたコンテンツ鍵で復号することにより、映像成分のコンテンツと音声成分のコンテンツとをそれぞれ得ている。
【００１８】
そして、この復号処理部１５で得られた映像成分のコンテンツと音声成分のコンテンツとは、デコード処理部１７に供給されて、例えば伸張処理等を含む各種のデコード処理が施されることにより、デジタルの映像データと音声データとに復元される。これらの映像データ及び音声データは、復号処理部１５に内蔵されたメモリ１７ａに蓄積される。
【００１９】
一方、上記確認処理部１６は、入力された権利情報を解析することにより、上記復号処理部１５で復号された映像成分及び音声成分の各コンテンツに対して、現時点での再生の可否、つまり、再生する権利が存在しているか否かを確認している。そして、この確認処理部１６は、その確認結果を更新処理部１８に出力している。
【００２０】
この更新処理部１８は、確認処理部１６から供給された確認結果がコンテンツを再生する権利が存在している旨を示している場合、権利情報に含まれている各種条件、例えばコンテンツに対する再生回数、再生開始時期、再生期限等を更新した上で、出力許可を示す信号を出力部１９に出力する。
【００２１】
この出力部１９は、更新処理部１８から出力許可を示す信号が供給されたとき、デコード処理部１７のメモリ１７ａから、そこに蓄積された映像及び音声のデータを読み取り、映像表示及び音声再生に必要な各種のデータ処理を施している。
【００２２】
そして、データ処理後の映像データは、出力端子２０を介してモニタ２１に供給されて映像表示に供され、データ処理後の音声データは、出力端子２２を介してスピーカ２３に供給されて音声再生に供される。
【００２３】
なお、上記更新処理部１８で更新された後の権利情報は、ＳＤカード１２に対する図示しないデータ書き込み経路により、ＳＤカード１２に保持された固有鍵に基づいて暗号化された後、ＳＤカード１２に書き込まれ保存されることになる。
【００２４】
また、上記更新処理部１８は、確認処理部１６から供給された確認結果がコンテンツを再生する権利が存在していない旨を示している場合、出力の不許可を示す信号を出力部１９に出力する。
【００２５】
そして、上記出力部１９は、更新処理部１８から出力の不許可を示す信号が供給されたとき、デコード処理部１７のメモリ１７ａに対して映像及び音声データの読み取りを行なうことなく、映像及び音声データが出力端子２０，２２を介して外部に出力されないように制限している。
【００２６】
ここで、このコンテンツ再生装置１１は、上記したコンテンツの再生動作を含むその全ての動作を制御部２４によって統括的に制御されている。この制御部２４は、ＣＰＵ（central processing unit）２４ａを内蔵しており、操作部２５からの操作情報を受け、または、リモートコントローラ２６から送出され受光部２７で受信した操作情報を受けることにより、その操作内容が反映されるように各部をそれぞれ制御している。
【００２７】
この場合、制御部２４は、メモリ部２４ｂを利用している。このメモリ部２４ｂは、主として、ＣＰＵ２４ａが実行する制御プログラムを格納したＲＯＭ（read only memory）と、該ＣＰＵ２４ａに作業エリアを提供するＲＡＭ（random access memory）と、各種の設定情報及び制御情報等が格納される不揮発性メモリとを備えている。
【００２８】
また、上記制御部２４は、通信制御部２８により、入出力端子２９を介してネットワーク３０に接続された特定のサーバ３１に対してデータ通信が可能になっている。これにより、例えばＳＤカード１２に記録されているコンテンツに対して、再生する権利が消失したような場合、ユーザは、操作部２５またはリモートコントローラ２６を操作し、サーバ３１にアクセスして権利情報を取得（購入）することが可能となる。
【００２９】
上記したコンテンツ再生装置１１では、復号処理部１５における暗号化コンテンツの復号処理及びデコード処理部１７におけるコンテンツのデコード処理と、確認処理部１６における権利情報の確認処理及び更新処理部１８における権利情報の更新処理とを並行して行ない、更新処理部１８から出力許可を示す信号が供給された時点で、出力部１９から映像及び音声データを出力するようにしている。
【００３０】
すなわち、権利情報の確認処理や更新処理が行なわれている間に、暗号化コンテンツの復号処理や復号後のコンテンツのデコード処理を並行して実行しているので、権利情報によってコンテンツの再生許可が確認され、権利情報の更新処理が完了したときには、直ちにデコード処理後の映像及び音声データを出力することが可能となる。このため、ＳＤカード１２に記録された暗号化コンテンツの再生が要求されてから、コンテンツが再生されるまでの時間を極力短縮することができる。
【００３１】
また、確認処理部１６によってコンテンツの再生許可が確認され、更新処理部１８による権利情報の更新処理が完了してコンテンツの再生が可能な状態になるまでは、デコード処理部１７のメモリ１７ａに蓄積されたデータが出力されないように制御しているので、コンテンツの再生に対する権利情報も遵守することが可能となる。
【００３２】
さらに、当然のことながら、確認処理部１６による権利情報の確認処理の結果、コンテンツの再生が許可されていないことが確認されたときには、デコード処理部１７におけるデコード処理後の映像及び音声データを出力させないように制御しているので、コンテンツの再生に対する権利情報を遵守することが可能となる。
【００３３】
なお、このコンテンツ再生装置１１において、コンテンツ鍵や権利情報、暗号化コンテンツ鍵や暗号化権利情報及びそれらを復号するための各種の情報、復号処理後の映像及び音声コンテンツ、デコード処理後の映像及び音声データ等は、いずれも、不正なコピーや改竄等を防止するために、外部からのアクセスに対して、ハードウエア的及びソフトウエア的な手法を用いて十分に保護されていることはもちろんである。
【００３４】
図２は、上記情報取得部１４が、ＳＤカード１２から暗号化コンテンツ、コンテンツ鍵及び権利情報を取得する動作の一例を示している。すなわち、ＳＤカード１２の記憶領域は、システム領域１２ａ、秘匿領域１２ｂ、保護領域１２ｃ、ユーザデータ領域１２ｄに分類されている。また、ＳＤカード１２は、暗号化／復号部１２ｅを備えている。
【００３５】
このうち、システム領域１４には、鍵管理情報ＭＫＢ（media key block）及びメディア識別子ＩＤｍが記憶されている。また、秘匿領域１２ｂには、メディア固有鍵Ｋｍｕが記憶されている。さらに、保護領域１２ｃには、暗号化ユーザ鍵Ｅｎｃ（Ｋｍｕ、Ｋｕ）が記憶されている。
【００３６】
また、ユーザデータ領域１２ｄには、暗号化コンテンツ鍵Ｅｎｃ（Ｋｕ、Ｋｃ）及び暗号化権利情報Ｅｎｃ（Ｋｕ、Ｊ）と、暗号化コンテンツＥｎｃ（Ｋｃ、Ｃ）とが記憶されている。なお、Ｅｎｃ（Ａ、Ｂ）の表記は、本明細書中ではデータ（鍵とも称する）Ａにより暗号化されたデータＢを意味する。
【００３７】
ここで、ユーザ鍵Ｋｕは、コンテンツ鍵Ｋｃ及び権利情報Ｊに対する暗号化／復号鍵であり、同一のＳＤカード１２では、複数個の暗号化コンテンツ鍵Ｅｎｃ（Ｋｕ、Ｋｃ１），Ｅｎｃ（Ｋｕ、Ｋｃ２），……や、複数個の暗号化権利情報Ｅｎｃ（Ｋｕ、Ｊ１），Ｅｎｃ（Ｋｕ、Ｊ２），……に対しても、共通に使用される。
【００３８】
また、上記システム領域１２ａは、読み取り専用であり、ＳＤカード１２の外部からコンテンツ再生装置１１等がアクセス可能な領域である。さらに、上記秘匿領域１２ｂは、読み取り専用であり、ＳＤカード１２自身が参照する領域であって、外部からのアクセスが一切不可となっている。また、上記保護領域１２ｃは、認証に成功した場合にＳＤカード１２の外部からデータの読み取りや書き込みが可能な領域である。
【００３９】
さらに、上記ユーザデータ領域１２ｄは、ＳＤカード１２の外部から自由にデータの読み取りや書き込みが可能な領域である。また、上記暗号化／復号部１２ｅは、保護領域１２ｃとＳＤカード１２の外部との間で、認証，鍵交換及び暗号通信等の処理を行なうものであり、暗号化処理や復号処理を行なう機能を有している。
【００４０】
このようなＳＤカード１２に対し、コンテンツ再生装置１１の情報取得部１４は、以下のように論理的に動作する。すなわち、情報取得部１４では、ＳＤカード１２のシステム領域１２ａから読み出した鍵管理情報ＭＫＢを、予め設定されたデバイス鍵ＫｄによりＭＫＢ処理し（ステップＳ１）、メディア鍵Ｋｍを得る。
【００４１】
次に、情報取得部１４は、このメディア鍵Ｋｍと、ＳＤカード１２のシステム領域１２ａから読み出したメディア識別子ＩＤｍとを共にハッシュ処理し（ステップＳ２）、メディア固有鍵Ｋｍｕを得る。
【００４２】
その後、情報取得部１４は、このメディア固有鍵Ｋｍｕに基づいて、ＳＤカード１２の暗号化／復号部１２ｅとの間で認証及び鍵交換（ＡＫＥ： authentication key exchange）処理を実行し（ステップＳ３）、ＳＤカード１２との間でセッション鍵Ｋｓを共有する。
【００４３】
なお、ステップＳ３における認証及び鍵交換処理は、暗号化／復号部１２ｅに参照される秘匿領域１２ｂ内のメディア固有鍵Ｋｍｕと、情報取得部１４で生成されたメディア固有鍵Ｋｍｕとが一致するときに成功し、セッション鍵Ｋｓが共有される。
【００４４】
次に、情報取得部１４は、セッション鍵Ｋｓを用いた暗号通信を介して、ＳＤカード１２の保護領域１２ｃから暗号化ユーザ鍵Ｅｎｃ（Ｋｍｕ、Ｋｕ）を読み出し（ステップＳ４）、この暗号化ユーザ鍵Ｅｎｃ（Ｋｍｕ、Ｋｕ）をメディア固有鍵Ｋｍｕにより復号処理して（ステップＳ５）、ユーザ鍵Ｋｕを得る。
【００４５】
その後、情報取得部１４は、ＳＤカード１２のユーザデータ領域１２ｄから暗号化コンテンツ鍵Ｅｎｃ（Ｋｕ、Ｋｃ）と暗号化権利情報Ｅｎｃ（Ｋｕ、Ｊ）とを読み出し、これらをユーザ鍵Ｋｕにより復号処理し（ステップＳ６）、コンテンツ鍵Ｋｃと権利情報Ｊとを得る。
【００４６】
さらに、情報取得部１４は、ＳＤカード１２のユーザデータ領域２０から暗号化コンテンツＥｎｃ（Ｋｃ、Ｃ）を読み出して取得する。これにより、情報取得部１４が、暗号化コンテンツＥｎｃ（Ｋｃ、Ｃ）、コンテンツ鍵Ｋｃ及び権利情報Ｊ等を取得することができる。
【００４７】
図３は、上記コンテンツ再生装置１１が行なう主要な処理動作をまとめたフローチャートを示している。この処理は、ユーザの操作によりＳＤカード１２に記録されたコンテンツの再生が要求されることより開始（ステップＳ１１）される。
【００４８】
すると、上記制御部２４は、ステップＳ１２で、情報取得部１４により、ＳＤカード１２から暗号化コンテンツを読み取らせて取得させるとともに、暗号化コンテンツ鍵と暗号化権利情報とを読み取らせて復号処理することによりコンテンツ鍵と権利情報とを取得させる。
【００４９】
その後、制御部２４は、ステップＳ１３で、復号処理部１５により、コンテンツ鍵を用いて暗号化コンテンツを復号させコンテンツを得る。そして、制御部２４は、ステップＳ１４で、デコード処理部１７により、コンテンツに対してデコード処理を行なわせ、デコード処理後のデータをメモリ１７ａに蓄積させる。
【００５０】
一方、上記ステップＳ１２の後、制御部２４は、ステップＳ１５で、確認処理部１６により、権利情報を解析させて、現在復号されているコンテンツを再生する権利が存在しているか否かを確認させ、再生権利がないことが確認された場合（ＮＯ）、処理を終了（ステップＳ１９）する。
【００５１】
また、上記ステップＳ１５でコンテンツを再生する権利の存在が確認された場合（ＹＥＳ）、制御部２４は、ステップＳ１６で、更新処理部１８により、権利情報の更新を行なわせる。
【００５２】
そして、制御部２４は、ステップＳ１７で、権利情報の更新が完了してコンテンツの再生が可能な状態になったか否かを判別し、再生可能でないと判断された場合（ＮＯ）、ステップＳ１６の処理に戻され、権利情報の更新処理が継続される。
【００５３】
また、上記ステップＳ１７で再生可能な状態になったと判断された場合（ＹＥＳ）、制御部２４は、ステップＳ１８で、出力部１９により、デコード処理部１７のメモリ１７ａに蓄積されたデータに映像表示及び音声再生に必要な各種のデータ処理を施して出力させ、処理を終了（ステップＳ１９）する。
【００５４】
上記した実施の形態によれば、権利情報の確認処理や更新処理が行なわれている間に、暗号化コンテンツの復号処理や復号後のコンテンツのデコード処理を並行して実行するようにしている。
【００５５】
このため、権利情報によってコンテンツの再生許可が確認され、権利情報の更新処理が完了したときには、直ちにデコード処理後のデータを出力することができ、コンテンツの再生が要求されてから再生されるまでの時間を大幅に短縮することができる。
【００５６】
また、権利情報によってコンテンツの再生許可が確認され、権利情報の更新処理が完了してコンテンツの再生が可能な状態になるまでは、デコード処理後のデータが出力されないので、コンテンツの再生に対する権利情報も遵守することが可能となる。
【００５７】
さらに、当然のことながら、権利情報の確認処理の結果、コンテンツの再生が許可されていないことが確認されたときには、デコード処理後のデータを出力させないようにしているので、コンテンツの再生に対する権利情報を遵守することが可能となる。
【００５８】
図４は、上記コンテンツ再生装置１１が行なう主要な処理動作の他の例をまとめたフローチャートを示している。図４において、図３と同一のステップには同一符号を付して説明すると、上記ステップＳ１５において、コンテンツを再生する権利のないことが確認された場合（ＮＯ）、制御部２４は、ステップＳ２０で、ユーザの操作により、上記サーバ３１にアクセスして権利情報を取得する。
【００５９】
その後、制御部２４は、ステップＳ２１で、権利情報の取得が完了してコンテンツの再生が可能な状態になったか否かを判別し、再生可能でないと判断された場合（ＮＯ）、ステップＳ２０の処理に戻され、権利情報の取得処理が継続される。
【００６０】
また、上記ステップＳ２１で再生可能な状態になったと判断された場合（ＹＥＳ）、制御部２４は、ステップＳ１８で、出力部１９により、デコード処理部１７のメモリ１７ａに蓄積されたデータに映像表示及び音声再生に必要な各種のデータ処理を施して出力させ、処理を終了（ステップＳ１９）する。
【００６１】
図４に示した変形例によれば、ＳＤカード１２から取得した権利情報にコンテンツの再生権利が存在しなくても、ユーザがネットワーク３０を介してサーバ３１から権利情報を取得して、コンテンツの再生を行なうことができるので、ユーザにとっての取り扱いを便利にすることができる。
【００６２】
ここで、上記した実施の形態では、コンテンツ再生装置１１がモニタ２１やスピーカ２３を外付けするタイプのものとして説明したが、これに限らず、例えば映像表示部や音声再生部等を内蔵したタイプの再生装置でも良いことはもちろんである。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６４】
１１…コンテンツ再生装置、１２…ＳＤカード、１２ａ…システム領域、１２ｂ…秘匿領域、１２ｃ…保護領域、１２ｄ…ユーザデータ領域、１２ｅ…暗号化／復号部、１３…カード装着部、１４…情報取得部、１５…復号処理部、１６…確認処理部、１７…デコード処理部、１７ａ…メモリ、１８…更新処理部、１９…出力部、２０…出力端子、２１…モニタ、２２…出力端子、２３…スピーカ、２４…制御部、２４ａ…ＣＰＵ、２４ｂ…メモリ部、２５…操作部、２６…リモートコントローラ、２７…受光部、２８…通信制御部、２９…入出力端子、３０…ネットワーク、３１…サーバ。
【図１】
2010239436.tif 000003
【図２】
2010239436.tif 000004
【図３】
2010239436.tif 000005
【図４】
2010239436.tif 000006